(57)【要約】【課題】  Ｐ型火災報知設備において、同一の部屋に２つ以上のアドレス付感知器が設置されていたとしても、火災発報した部屋の番号を直ちに確認することができるＰ型火災報知設備における火災受信機を提供することを目的とするものである。【解決手段】  Ｐ型火災報知設備における火災受信機において、所定の火災感知器が発報したときに、上記所定の火災感知器の回線を表示する回線表示部と、上記所定の火災感知器のアドレスを表示するアドレス表示部と、上記所定の火災感知器が設置されている部屋の部屋番号を表示する部屋番号表示部とを有するＰ型火災報知設備における火災受信機である。【選択図】  図１
2005258484.tif 000002
【特許請求の範囲】
【請求項１】
所定の火災感知器が発報したときに、上記所定の火災感知器が設置されている回線を表示する回線表示部と；
上記所定の火災感知器が発報したときに、上記所定の火災感知器のアドレスを表示するアドレス表示部と；
上記所定の火災感知器が発報したときに、上記所定の火災感知器が設置されている部屋の部屋番号を表示する部屋番号表示部と；
を有することを特徴とするＰ型火災報知設備における火災受信機。
【請求項２】
請求項１において、
上記回線表示部に表示されている火災感知器の回線と、上記アドレス表示部に表示されているアドレスと、部屋番号とを対応して記憶する対応メモリと；
上記回線表示部に表示されている火災感知器の回線と、上記アドレス表示部に表示されているアドレスに対応する部屋番号とが、部屋番号表示部に表示されていることを、上記対応メモリの記憶内容に基づいて判断されると、上記部屋番号表示部に表示されている部屋番号を点滅表示させる表示制御手段と；
を有することを特徴とするＰ型火災報知設備における火災受信機。
【請求項３】
請求項１または請求項２において、
上記部屋番号表示部は、上記回線表示部に表示されている回線と、上記アドレス表示部に表示されているアドレスと、上記部屋番号表示部に表示されている部屋番号とをスクロールするスクロール手段が設けられていることを特徴とするＰ型火災報知設備における火災受信機。
【発明の詳細な説明】
【技術分野】
【０００１】
本発明は、Ｐ型火災報知設備における火災受信機に関する。
【背景技術】
【０００２】
従来のＰ型火災報知設備において、火災発報した地区を表示する場合、火災受信機の操作部に、７セグ等で表示するが、回線に対応する地区の地区番号のみを表示する（たとえば、特許文献１参照）。
【特許文献１】特開平８−２３５４６１号公報
【発明の開示】
【発明が解決しようとする課題】
【０００３】
上記のように、従来Ｐ型火災報知設備において、火災受信機の操作部に、７セグメント表示部が設けられ、火災が発生した場合、この７セグメント表示部に、火災発報した回線のみを表示することによって、火災発生場所を概略的に示している。したがって、火災発生場所の詳細な部分、火災発報した感知器のアドレスを直ちに確認することができないという問題がある。
【０００４】
特に、同一の部屋に２つ以上のアドレス付感知器が設置されている場合、火災発報時に、発報した感知器の回線とアドレスとに対応する部屋番号を特定することができないという問題がある。
【０００５】
本発明は、Ｐ型火災報知設備において、火災発報した感知器に対応する回線とアドレスと部屋番号とを直ちに確認することができるＰ型火災報知設備における火災受信機を提供することを目的とするものである。
【課題を解決するための手段】
【０００６】
本発明は、Ｐ型火災報知設備における火災受信機において、所定の火災感知器が発報したときに、上記所定の火災感知器の回線を表示する回線表示部と、上記所定の火災感知器のアドレスを表示するアドレス表示部と、上記所定の火災感知器が設置されている部屋の部屋番号を表示する部屋番号表示部とを有するＰ型火災報知設備における火災受信機である。
【発明の効果】
【０００７】
本発明によれば、火災発報した火災感知器に対応する回線、アドレス、部屋番号を、直ちに確認することができ、したがって、火災発報した火災感知器が設置されている部屋を直ちに特定することができるという効果を奏する。
【発明を実施するための最良の形態】
【０００８】
発明を実施するための最良の形態は、以下の実施例である。
【実施例１】
【０００９】
図１は、本発明の一実施例であるＰ型火災報知設備ＰＳを示す図である。
【００１０】
Ｐ型火災報知設備ＰＳにおいて、１台の火災受信機ＲＥに、複数の火災感知器ＳＥが接続され、また、火災受信機ＲＥに火災表示機ＤＰが接続されている。
【００１１】
図２は、Ｐ型火災報知設備ＰＳをより詳細に示すブロック図である。
【００１２】
各火災感知器ＳＥは、火災受信機ＲＥから電源が供給され、煙濃度や周辺温度等の物理量を計測し、これによって、火災監視を行っている。
【００１３】
火災受信機ＲＥは、電源部１１と、信号送信回路１２と、信号受信回路１３と、火災検出回路１４と、断線検出回路１５と、制御回路１６と、メイン制御部１７と、表示操作部１８と、メモリ１９と、部屋番号表示部ＤＰ３とを有する。また、火災受信機ＲＥは、電源兼信号線Ｃ、Ｌ１〜Ｌｎが接続されるコモン端子と複数のライン端子とを備え、これらの端子に接続されている電源兼出力信号線Ｃ、Ｌ１〜Ｌｎのそれぞれに、複数の火災感知器ＳＥが接続されている。
【００１４】
部屋番号表示部ＤＰ３は、複数のＬＥＤが組み合わされ、複数桁の数字が表示できる構成を有し、火災発報した火災感知器ＳＥが設置されている部屋に対応する部屋番号を表示する。
【００１５】
複数の火災感知器ＳＥのそれぞれに、固有の火災感知器アドレスが付与されている。なお、複数の火災感知器ＳＥの中には、火災感知器アドレスを有しないものもある。
【００１６】
信号線ＣとＬ１〜Ｌｎとの間で各回線が構成され、それぞれの端末部分に終端器が配置されている。そして、火災受信機ＲＥ内のブロック構成のうち、各回線毎に、信号送信回路１２と、信号受信回路１３と、火災検出回路１４と、断線検出回路１５と、制御回路１６とが配置されている。
【００１７】
各回線毎の火災検出回路１４は、電源兼信号線Ｃ、Ｌ１〜Ｌｎのうちの１つの回線に接続されている複数の火災感知器ＳＥから火災信号を検出する。この火災信号は、火災感知器ＳＥが火災検出時にいわゆるスイッチング動作を行い、信号線間を低インピーダンス状態とすることによって発生する。
【００１８】
これと同様に、電源兼信号線Ｃ、Ｌ１〜Ｌｎのうちの１つの回線に接続されている複数の火災感知器ＳＥが、信号送信回路１２からアドレスを取得するために信号出力することによって、アドレス付きの火災感知器ＳＥのアドレスを、各回線毎の信号受信回路１３が受信する。ここで、１つの回線に接続される火災感知器ＳＥとして、アドレス付きの火災感知器と、一般型の火災感知器とがあり、当然、一般型の火災感知器からはアドレスを取得しない。
【００１９】
火災表示機ＤＰには、部屋番号表示部３０が設けられ、部屋番号表示部３０は、火災感知器ＲＥの部屋番号表示部ＤＰ３と同様に、火災発報した火災感知器ＳＥが設置されている部屋に対応する部屋番号を表示する。
【００２０】
上記実施例において、表示操作部１８は、所定の回線と、所定の火災感知器のアドレスと、所定の部屋番号とを入力する手段である。つまり、上記入力手段は、所定の回線と所定の火災感知器のアドレスと所定の部屋番号とを、火災受信機の盤面から入力する手段である。
【００２１】
メモリ１９は、ＥＥＰＲＯＭのような不揮発性のメモリであって、所定の回線と所定の火災感知器のアドレスと所定の部屋番号とを対応して格納する対応メモリである。
【００２２】
メイン制御部１７は、上記入力手段を介して入力された所定の回線と、所定の火災感知器のアドレスと、上記入力手段を介して入力された所定の部屋番号とを対応して、上記対応メモリに書き込む書込手段である。
【００２３】
メモリ１９は、図６に示すような火災感知器のアドレス表示部に表示されている火災感知器のアドレスと、部屋番号との対応を記憶する対応メモリの例である。
【００２４】
メイン制御部１７は、火災感知器のアドレス表示部に表示されている火災感知器のアドレスに対応する部屋番号が、上記部屋番号表示部に表示されていることを、上記対応メモリの記憶内容に基づいて判断されると、上記部屋番号表示部に表示されている部屋番号を点滅する表示制御手段の例である。
【００２５】
図３は、火災受信機ＲＥの盤面の一部を示す図である。
【００２６】
ＤＰ１、ＤＰ２、ＤＰ３はそれぞれ
回線を表示する回線表示部ＤＰ１と、火災感知器のアドレスを表示するアドレス表示部ＤＰ２と、部屋番号を表示する部屋番号表示部ＤＰ３である。また、部屋番号表示部ＤＰ３は、２つ設置されている。火災表示部ＤＰ４は、監視時は消灯するが、火災時にこの窓に「火災」文字が現われ点滅する。回線選択スイッチＳＷ４は、１０位を表し、回線選択スイッチＳＷ５は、１位を表し、解除スイッチＳＷ８は、回線選択を解除するスイッチである。
【００２７】
この他に、設定確認スイッチＳＷ６と、実行スイッチＳＷ７と、地区音響一斉鳴動スイッチＳＷ９と、表示機呼出しスイッチＳＷ１０と、火災受信機ＲＥの操作を復旧させる復旧スイッチＳＷ１１と、音響を一時停止するスイッチＳＷ１２と、地区音響を一時停止するスイッチＳＷ１３とが設けられている。
【００２８】
火災受信機ＲＥの情報表示窓ＬＥＤ２は、交流電源灯や異常灯等、ＬＥＤで構成されている。電話ジャックＴＪ１は、受話器を差込むと他の所（たとえば受信機−発信機間）と通話することができる。
【００２９】
部屋番号表示部ＤＰ３、３０は、所定の部屋番号が設定された回線の感知器が発報したときに、上記所定回線が設置されている部屋の部屋番号を表示する部屋番号表示部の例である。
【００３０】
また、部屋番号表示部ＤＰ３、３０は、所定アドレスの火災感知器が発報したときに、上記所定アドレスの火災感知器が設置されている部屋の部屋番号を表示する部屋番号表示部の例である。
【００３１】
部屋番号表示部ＤＰ３には、図３に示すように、左側表示部２１と、右側表示部２２とが設けられ、火災受信機の盤面に設けられている１位スイッチＳＷ５と１０位スイッチＳＷ４とが、部屋番号表示部ＤＰ３に表示されている部屋番号をスクロールする例である。また、部屋番号表示部３０には、火災表示機ＤＰの図示しない盤面に順送りスイッチ、逆送りスイッチが設けられ、これらは、部屋番号表示部３０に表示されている部屋番号をスクロールする例である。
【００３２】
図４は、上記実施例において、火災受信機ＲＥ内のメモリ１９に書込まれているデータを簡単に示す説明図である。
【００３３】
メモリ１９内には、最大回線毎の最大アドレス分の部屋番号を設定することができる領域が予め設定され、ここでは、最大回線として１００回線、最大アドレスとして３０アドレスである場合について示してある。
【００３４】
すなわち、回線の１から１００までのそれぞれに対して、アドレスの１から３０まで、部屋番号を設定する領域を示している。同時に、各回線に対する部屋番号の設定の領域（アドレス欄がＬとされている部分）が設けられている。
【００３５】
図４において、回線１では、アドレス１〜３の部屋番号が設定され、また、回線２では、アドレスに対してでなく、回線に対して部屋番号が設定されている。このような設定は、たとえば建物の１階が大部屋１つと小部屋３つとで構成されている場合に行われ、回線１のアドレス１〜３に、１階の１番〜３番の小部屋が個々に設定されるとともに、１階の４番の大部屋が、回線２に設定され、回線２では、アドレスに関係なく１階の４番に設置されている。
【００３６】
使用される回線数と各回線に使用しているアドレスとは、設備毎に決まっているので、使用されていない領域に対する部屋番号は、不要である。なお、このような部屋番号設定を必ず設定する必要はなく、アドレス付きの火災感知器ＳＥであっても、特別な場所に設置されているときに、部屋番号設定を省略することができる。
【００３７】
また、部屋番号の設定を、回線に対して行うと同時に、その回線のアドレスに対して行っていると、１つの火災感知器ＳＥに対して、２つの部屋番号が設定されるので、個々のアドレスに部屋番号が設定されるときには、該当する回線の部屋番号が消去され、また、回線に部屋番号が設定されると、その回線内の各アドレスに設定された部屋番号は、消去される。
【００３８】
次に、実施例１の動作について説明する。
【００３９】
図５は、実施例１の動作を示すフローチャートである。
【００４０】
図６は、実施例１の動作の際に、メモリ１９に記憶されているデータを説明する図である。
【００４１】
図７は、上記実施例の動作説明図であり、火災受信機ＲＥにおける盤面に設けられている部屋番号表示部ＤＰ３の表示状態を示す図である。
【００４２】
部屋番号表示部ＤＰ３は、左側表示部２１と、右側表示部２２とを有する。左側表示部２１と、右側表示部２２とによって、２報固定表示を実現する。
【００４３】
上記「２報固定」は、最大で、２報まで表示することができる設定であり、「２報固定」を行うには、「データベース設定モード」で設置するのではなく、受信機の電源をＯＦＦしているときに、ディップスイッチによって設定する。
【００４４】
まず、データベース設定モードを選択する（Ｓ１）。つまり、たとえば火災受信機ＲＥ内に設けられている図示しない設定スイッチを押しながら、図示しない電源スイッチを押すことによって、図示しないデータベースモード灯が点灯する。
【００４５】
そして、「表示個数」を設定する（Ｓ２）。「表示個数」として、たとえば「２報固定」、「２０報固定」のいずれかを設定し、図６に示すように、発報データの記憶の上限を２報または２０報に設定する。
【００４６】
「２０報固定」は、最大で、２０報まで表示することができる設定であり、「２０報固定」を行うには、「データベース設定モード」で設置するのではなく、受信機の電源をＯＦＦしているときに、ディップスイッチによって設定する。
【００４７】
「２報固定」を選択すると、発報データに基づき部屋番号表示部ＤＰ３の２つの表示部、すなわち、左側表示部２１と右側表示部２２に発報した２つの部屋番号だけを表示し、「２０報固定」を選択すると、まず部屋番号表示部ＤＰ３に発報データに基づく部屋番号を表示し、部屋番号表示部の２つの表示部、左側表示部２１と、右側表示部２２の表示窓が埋まった後、後続の発報データがあった場合、最大２０報まで、回線選択スイッチの１０位スイッチＳＷ４と１位スイッチＳＷ５の操作によって切替えて表示するものである。
【００４８】
また、「２０報固定」は、記憶するデータ量が許されればいくつでもよく、５０報や１００報でもよく、また、２０報、４０報、８０報と段階的に設けて選択してもよい。
【００４９】
この場合、火災受信機ＲＥの盤面に設けられているアドレス表示部ＤＰ２に表示されているアドレス、または回線表示部ＤＰ１に表示されている回線に対応している部屋番号が、部屋番号表示部ＤＰ３に表示されている場合、対応して表示されている部屋番号が点滅する。
【００５０】
なお、このデータベース設定モードにおいて、部屋番号を設定入力することができる。
【００５１】
そして、火災発報があると（Ｓ５）、すなわち、図２に示す火災受信機ＲＥ内の火災検出回路１４が、信号線を介して、火災感知器ＳＥからの火災信号（スイッチング動作に基づく低インピーダンス状態）を検出すると、部屋番号付きアドレス火災であるか、アドレス火災であるか、一般火災であるかを判断する（Ｓ６）。
【００５２】
なお、「部屋番号付アドレス火災」は、発報時に、回線とアドレスと部屋番号とが表示される火災である（部屋番号設定済）。「アドレス火災」は、発報時に、回線とアドレスとが表示される火災である（部屋番号未設定）。「一般火災」は、発報時に、回線のみが表示される火災である（部屋番号未設定）。
【００５３】
ここで、火災受信機ＲＥは、火災検出回路１４が、回線に該当する信号線ごとに設けられているので、火災信号を受信した火災検出回路１４に基づいて、回線を特定することができ、火災信号を送出した信号線に対して、信号送信回路１２が、火災感知器ＳＥに信号を送信し、信号受信回路１３が、火災感知器ＳＥから信号を受信し、発報のアドレスの有無を判別し、アドレスが存在していれば、アドレスを特定する。そして、特定した回線とアドレスとに対応する部屋番号が存在しているかどうかを、メモリ１９内に設定されているデータに基づいて識別する。
【００５４】
なお、上記「部屋番号付きアドレス火災」は、発報時に、回線とアドレスと部屋番号とが表示される火災、つまり部屋番号設定済みである。上記「アドレス火災」は、発報時に、回線とアドレスとが表示される火災、つまり部屋番号未設定である。上記「一般火災」は、発報時に、回線のみ表示される火災、つまり部屋番号未設定である。
【００５５】
上記火災発報の形態が、「部屋番号付きアドレス火災」であれば（Ｓ６）、火災発報した回線がどれであるかという情報（回線番号）と、部屋番号とを取得し（Ｓ１１）、該当する地区の地区灯を点灯し、回線番号、感知器のアドレス番号と部屋番号とを、それぞれの表示部に表示する（Ｓ１２）。
【００５６】
そして、表示機ＤＰへ伝送し（Ｓ４１）、表示機ＤＰにおける地区灯を点灯し、部屋番号表示部３０に、部屋番号を表示する（Ｓ４２）。その後、後続火災があれば（Ｓ５１）、ステップＳ６に戻り、後続火災がなくＳ５１）、復旧が必要であれば、火災復旧し（Ｓ５２）、火災復旧した情報を、表示機ＤＰに伝送し（Ｓ５３）、表示機ＤＰにおいて、火災復旧する（Ｓ５４）。また、火災復旧する必要がなければ、ステップＳ６に戻り、通常監視状態になる。
【００５７】
一方、上記火災発報の内容が、「アドレス火災」であれば（Ｓ６）、回線番号、アドレスを取得し（Ｓ２１）、地区灯を点灯し、回線番号、アドレスを表示する（Ｓ２２）。そして表示機ＤＰへ伝送し（Ｓ４１）地区灯を点滅し（Ｓ４３）、ステップＳ５１以降に進む。
【００５８】
また、上記火災発報の内容が、「一般火災」であれば（Ｓ６）、回線番号を取得し（Ｓ３１）、取得した回線番号に対応する地区灯を点灯し、回線番号を表示し（Ｓ３２）ステップＳ４１、Ｓ４３、Ｓ５１以降に進む。
【００５９】
上記実施例によれば、火災発報した火災感知器の回線、アドレス、部屋番号を特定することができる。
【００６０】
次に、上記実施例において、火災発報した場合に火災表示を順次送って表示するスクロールの動作について説明する。
【００６１】
図６に示すように、メモリ１９には、火災発報を記憶する上限（ここでは２０報固定である）に合わせて、発報データを記憶する領域を設定している。図６では、火災発報が３報あり、
１報目は、回線１アドレス１であり、
２報目は、回線３アドレス４であり、
３報目は、回線２アドレス３である。
【００６２】
これらの各発報データに対して、図４に示すように設定されている部屋番号（発報した火災感知器が設置されている部屋の部屋番号）については、
１報目が、「００１０１」であり、
２報目が、「００１０４」であり、
３報目が、「００２０３」であると仮定する。
【００６３】
なお、この部屋番号５桁のうちで、上位３桁が階数を示し、たとえば「００１０１」の場合は、１階であり、下位２桁が、その階における番号を示し、たとえば「００１０１」の場合は、１番の部屋である。
【００６４】
このように、火災受信機ＲＥが火災発報を３つ受信した状態で、図７（１）に示すように、回線表示部ＤＰ１には、「００１」が表示され、アドレス表示部ＤＰ２には、「００１」と、１報目の回線とアドレスとが表示される。そして、部屋番号表示部ＤＰ３は、その左側表示部２１に、１報目の部屋番号「００１０１」を表示し、右側表示部２２に、２報目の部屋番号「００１０４」を表示する。この１報目に該当する部屋番号である左側表示部２１が点滅表示される。
【００６５】
ここで、１位スイッチＳＷ５（順送りのスクロールスイッチとして機能するスイッチ）を押すと、回線表示部ＤＰ１には、「００３」が表示され、アドレス表示部ＤＰ２には、「００４」と、２報目の回線とアドレスとが表示され、２報目の部屋番号「００１０４」は、左側表示部２１にシフトし、点滅する。３報目の部屋番号「００２０３」は、右側表示部２２に現われ、表示される（図７（２））。
【００６６】
このように、回線表示部ＤＰ１とアドレス表示部ＤＰ２とに表示される１つの発報データに該当する部屋番号表示部ＤＰ３の２つの部屋番号のうちで、その一方が点滅することによって、対応を理解することができる。
【００６７】
そして、再度１位スイッチＳＷ５を押すと（順送りすると）、図７（３）に示すように、回線表示部ＤＰ１には、「００２」が表示され、アドレス表示部ＤＰ２には「００３」と、３報目の回線とアドレスとが表示され、右側表示部２２に表示されていた部屋番号「００２０３」が、左側表示部２１に点滅表示される。右側表示部２２には、４報目がないのでブランクになる。
【００６８】
そして、１位スイッチＳＷ５を再度押すと（順送りすると）、図７（４）に示すように、初報の１報目に戻り、回線表示部ＤＰ１には、「００１」が表示され、アドレス表示部ＤＰ２には、「００１」が表示され、左側表示部２１には、１報目の部屋番号「００１０１」が点滅表示され、また、右側表示部２２には、２報目「００１０４」が再び表示される。
【００６９】
また、１位スイッチＳＷ５の代わりに、１０位スイッチＳＷ４を押すと、逆送りの表示動作が行われる。
【００７０】
つまり、上記図７（１）に示すように、１報目の表示状態から、１０位スイッチＳＷ４（逆送りのスクロールスイッチとして機能するスイッチ）を押すと、図７（３）に示す場合と同様に、回線表示部ＤＰ１には、「００２」が表示され、アドレス表示部ＤＰ２には、「００３」と、最終の発報データである３報目の回線とアドレスとが表示され、左側表示部２１には、３報目の部屋番号「００２０３」が点滅表示され、また、右側表示部２２には、それが最終の発報データであることを示すように、ブランクを表示する。
【００７１】
そして、１０位スイッチＳＷ４を再度押すと（逆送りすると）、図７（２）に示す場合と同様に、回線表示部ＤＰ１には、「００３」が表示され、アドレス表示部ＤＰ２には、「００４」と、２報目の回線とアドレスとが表示され、左側表示部２１に表示されていた３報目の部屋番号「００２０３」が、右側表示部２２に表示され、また、左側表示部２１には、２報目の部屋番号「００１０４」が点滅表示される。
【００７２】
さらに、１０位スイッチＳＷ５を再度押すと（逆送りすると）、図７（４）に示す場合と同様に、回線表示部ＤＰ１には、「００１」が表示され、アドレス表示部ＤＰ２には、「００１」と、１報目の回線とアドレスとが表示され、左側表示部２１には、１報目の部屋番号「００１０１」が点滅表示され、また、右側表示部２２には、２報目の部屋番号「００１０４」が表示される。
【００７３】
このように、１０位スイッチＳＷ４を押すことによって、上記のように、逆送りで表示される。さらに、順送りの後に逆送りを行うことは自由であり、または、逆送りの後に順送りを行うことは自由であり、任意にスクロール表示することができる。
【００７４】
したがって、１位スイッチＳＷ５または１０位スイッチＳＷ４の操作に基づいて、回線表示部ＤＰ１、アドレス表示部ＤＰ２、部屋番号表示部ＤＰ３の表示が切り替わって表示される。
【００７５】
また、上記部屋番号の表示状態の説明は、火災受信機ＲＥにおける盤面の表示であるが、火災表示機ＤＰの部屋番号表示部３０に表示させる場合も、上記説明と同様である。つまり、部屋番号表示部３０に、左側表示部と右側表示部とを設け、１位スイッチに対応する「順送りスイッチ」を押し、また、１０位スイッチに対応する「逆送りスイッチ」を押すと、上記説明と同様の動作が行われる。
【００７６】
また、上記実施例によれば、所定の火災感知器が発報したときに、上記所定の火災感知器が設置されている部屋の部屋番号を表示する部屋番号表示部を有するので、火災発報した部屋を、直ちに認識することができる。
【００７７】
次に、実施例１において、盤面で部屋番号を設定する動作について説明する。
【００７８】
図８は、実施例１において、盤面で部屋番号を設定する動作を示すフローチャートである。
【００７９】
まず、データベース設定モードを選択する（Ｓ１）。つまり、一例として、火災受信機ＲＥ、たとえば火災受信機ＲＥ内に設けられている図示しない設定スイッチＳＷ１を押しながら、図示しない電源スイッチＳＷ２を押すことによって、図示しない盤内のデータベースモード灯ＬＥＤ１が点灯する。
【００８０】
そして、部屋番号表示設定モードを選択する（Ｓ２）。すなわち、火災信号遮断スイッチＳＷ３を押すことによって、火災信号遮断スイッチＳＷ３上部の状態灯が赤点灯し、部屋番号表示設定モードが選択されたことを示す。
【００８１】
その後に、部屋番号を設定すべき火災感知器が設置されている回線を選択する（Ｓ３）。このときに、回線表示部ＤＰ１の表示が点滅し、設定可能を示し、具体的には、回線選択１０位スイッチＳＷ４と回線選択１位スイッチＳＷ５とを操作することによって、桁ごとに数字を変えて、設定すべき回線が、回線表示部ＤＰ１に表示され、設定確認スイッチＳＷ６を押して、回線を特定する。
【００８２】
そして、火災感知器のアドレスを選択する（Ｓ４）。つまり、このときに、アドレス表示部ＤＰ２の表示が点滅し、設定可能であることを示し、回線選択スイッチ１０位スイッチＳＷ４と回線選択スイッチ１位ＳＷ５とを操作することによって、桁ごとに数字を変えて、設定すべき火災感知器のアドレスが、アドレス表示部ＤＰ２に表示され、設定確認スイッチＳＷ６を押し、アドレスを特定する。
【００８３】
その後に、所望の部屋番号を選択する（Ｓ５）。ここで、部屋番号表示部ＤＰ３は外観上５桁の数字であり、この桁の構成は、上位３桁を階数に対応させ、また、下位２桁を、階毎の番号とし、図示して説明しないが、建物内を縦方向に階数、横方向に階毎の番号として座標的に部屋を特定できる。
【００８４】
そして、このときに、部屋番号表示部ＤＰ３の上３桁、１００００位欄〜１００位欄の表示が点滅し、設定可能であることを示し、回線選択１０位スイッチＳＷ４と回線選択１位スイッチＳＷ５とを操作することによって、桁毎に数字を変えて、所望の部屋番号のうちの階数部分を設定することができる。
【００８５】
そして、設定確認スイッチＳＷ６を押すことによって、部屋番号表示部ＤＰ３の下２桁、１０位欄〜１位欄の表示が点滅し、設定可能であることを示し、回線選択１０位スイッチＳＷ４と回線選択１位スイッチＳＷ５とを操作することによって、桁毎に数字を変えて、所望の部屋番号のうちの階毎の番号を設定することができる。
【００８６】
そして、実行スイッチＳＷ７を押すと（Ｓ６）、表示されている回線表示部ＤＰ１とアドレス表示部ＤＰ２に表示されている回線とアドレスとに対して、部屋番号表示部ＤＰ３に表示されている部屋番号がデータとして設定され、この設定されたデータは、メモリ１９に書込まれる。
【００８７】
これによって、部屋番号表示部ＤＰ３に設定された部屋番号が表示される（Ｓ７）。部屋番号を設定すべき火災感知器が残っていれば（Ｓ８）、ステップＳ３に戻る。部屋番号を設定すべき火災感知器が残っていなければ（Ｓ８）、火災感知器に部屋番号を設定する動作を終了する。
【図面の簡単な説明】
【００８８】
【図１】本発明の一実施例であるＰ型火災報知設備ＰＳを示す図である。
【図２】Ｐ型火災報知設備ＰＳをより詳細に示すブロック図である。
【図３】受信機ＲＥの盤面の一部図である。
【図４】メモリ１９内のデータ設定図である。
【図５】上記実施例の動作を示すフローチャートである。
【図６】２０報固定を示す図である。
【図７】上記実施例の動作説明図である。
【図８】火災感知器に部屋番号を設定する動作を示す図である。
【符号の説明】
【００８９】
ＰＳ…Ｐ型火災報知設備、
ＲＥ…火災受信機、
ＤＰ…火災表示機、
ＳＥ…火災感知器、
１７…メイン制御部、
１８…表示制御部、
１９…メモリ、
２１…左側表示部、
２２…右側表示部、
３０…部屋番号表示部、
ＳＷ４…回線選択１０位スイッチ、
ＳＷ５…回線選択１位スイッチ、
ＤＰ１…回線表示部、
ＤＰ２…アドレス表示部、
ＤＰ３…部屋番号表示部。
【図１】
2005258484.tif 000003
【図２】
2005258484.tif 000004
【図３】
2005258484.tif 000005
【図４】
2005258484.tif 000006
【図５】
2005258484.tif 000007
【図６】
2005258484.tif 000008
【図７】
2005258484.tif 000009
【図８】
2005258484.tif 000010